(57)【要約】      （修正有）【課題】オーバーフローラインを用いなくともチャンバの液面調整が可能な液面調整機構及び該液面調整機構を備える血液浄化装置を提供する。【解決手段】チャンバ１０と、一端側がチャンバの導入口の基端側に接続される第１の連通ラインと、一端側がチャンバの導出口に接続される第２の連通ラインと、第１の連通ラインに設けられる第１の電極５１と、第２の連通ラインに設けられる第２の電極５２と、一端側がチャンバの通気口に接続される通気ライン１２１と、通気ラインに設けられる開閉弁１２２と、チャンバ本体の液体の液面調整手段１００と、を備え、第１の電極と第２の電極との間のインピーダンスに基づいて、液面調整手段の作動及び開閉弁の開閉を制御して、チャンバ本体に貯留される液体の液面を所定の高さに調整する液面調整機構。【選択図】図１
2019170856.tif 000002
【特許請求の範囲】
【請求項１】
液体を貯留するチャンバ本体と、先端部が前記チャンバ本体の内部における所定の高さまで延び該チャンバ本体に液体を導入する導入口と、前記チャンバ本体における該導入口の前記先端部よりも上部に配置され気体が流入または流出する通気口と、前記チャンバ本体の底部に配置され液体を導出する導出口と、を有するチャンバと、
一端側が前記導入口の基端側に接続される第１の連通ラインと、
一端側が前記導出口に接続される第２の連通ラインと、
前記第１の連通ラインに設けられる第１の電極と、
前記第２の連通ラインに設けられる第２の電極と、
一端側が前記通気口に接続される通気ラインと、
前記通気ラインに設けられる開閉弁と、
前記チャンバ本体に貯留される液体の液面を上昇または下降させることが可能な液面調整手段と、
を備え、
前記第１の電極により電位が印加された前記導入口における液体と、前記第２の電極により電位が印加された前記チャンバ本体に貯留される液体と、の接触の有無により変化する前記第１の電極と前記第２の電極との間のインピーダンスに基づいて、前記液面調整手段の作動及び前記開閉弁の開閉を制御して、前記チャンバ本体に貯留される液体の液面を所定の高さに調整する液面調整機構。
【請求項２】
請求項１に記載の液面調整機構と、
ポンプセグメント部を有する動脈側ラインと静脈側ラインとを含んで構成される血液回路と、
前記動脈側ラインと前記静脈側ラインとの間に介在して配置され、前記血液回路を流れる血液を浄化可能な血液浄化手段と、
前記血液回路に接続され、プライミング液を供給するプライミング液供給ラインと、
前記ポンプセグメント部が装着され、前記動脈側ライン内の液体を間欠的に送液可能な血液ポンプと、
前記第１の電極と、前記第２の電極と、前記第１の電極と前記第２の電極との間のインピーダンスを測定する測定部と、を有する測定手段と、
前記測定手段により測定されたインピーダンスの値に基づいて、前記液面調整手段の作動及び前記開閉弁の開閉を制御する制御手段と、
を備え、
前記動脈側ラインは、一端側に動脈側接続端を有し他端側が前記ポンプセグメント部の上流側に接続される動脈側上流ラインと、一端側が前記ポンプセグメント部の下流側に接続され他端側が前記血液浄化手段に接続される動脈側下流ラインと、を有し、
前記静脈側ラインは、一端側が前記血液浄化手段に接続され他端側が前記導入口の基端側に接続される静脈側上流ラインと、一端側が前記導出口に接続され他端側に静脈側接続端を有する静脈側下流ラインと、を有し、
前記第１の連通ラインは、前記動脈側下流ラインと、前記静脈側上流ラインと、を含んで構成され、
前記第２の連通ラインは、前記静脈側下流ラインを含んで構成され、
プライミング液は、前記動脈側接続端及び前記静脈側接続端から排出可能である血液浄化装置。
【請求項３】
前記通気ラインは、静脈圧を測定するための静脈圧センサが設けられ、
前記液面調整手段は、前記通気ラインの他端側に設けられ、前記チャンバに対して気体の流入及び流出を行う液面調整ポンプである請求項２に記載の血液浄化装置。
【請求項４】
前記血液浄化手段に対し透析液の導入及び導出を行う透析液送液ポンプと、
一端側が前記透析液送液ポンプに接続され他端側が前記血液浄化手段に接続される透析液導入ラインと、一端側が前記血液浄化手段に接続され他端側が前記透析液送液ポンプに接続される透析液導出ラインと、を含んで構成される透析液回路と、
をさらに備え、
前記プライミング液供給ラインとして、前記透析液導入ラインを用い、
前記血液回路をプライミングするプライミング液として、前記血液浄化手段において逆ろ過された逆ろ過透析液を用い、
前記第１の連通ラインは、前記透析液回路をさらに含んで構成される請求項２または３に記載の血液浄化装置。
【請求項５】
前記透析液回路は、前記透析液導入ラインまたは前記透析液導出ラインから分岐して、前記動脈側下流ラインまたは前記静脈側上流ラインに接続される透析液分岐ラインをさらに備え、
プライミング液として、透析液を用いる請求項４に記載の血液浄化装置。
【請求項６】
一端側からプライミング液を排出可能であり、他端側が分岐して前記静脈側接続端及び前記動脈側接続端に接続される排液ラインをさらに備え、
前記第２の連通ラインは、前記動脈側上流ラインと、前記排液ラインと、をさらに含んで構成される請求項２〜５のいずれかに記載の血液浄化装置。
【請求項７】
前記測定部が設けられる装置本体をさらに備えており、
前記第１の連通ラインの一部は、前記装置本体に配置されており、
前記第１の電極は、前記第１の連通ラインのうち、前記装置本体に配置される部位に設けられる請求項２〜６のいずれかに記載の血液浄化装置。
【請求項８】
前記血液浄化装置は、前記測定部が設けられる装置本体を備えており、
前記第２の連通ラインの一部は、前記装置本体に配置されており、
前記第２の電極は、前記第２の連通ラインのうち、前記装置本体に配置される部位に設けられる請求項２〜７のいずれかに記載の血液浄化装置。
【発明の詳細な説明】
【技術分野】
【０００１】
本発明は、液面調整機構及びこの液面調整機構を備える血液浄化装置に関する。
【背景技術】
【０００２】
血液透析や血漿交換、吸着療法等の体外循環治療においては、採取した患者の血液を体外循環させて再び体内に戻すための血液回路が用いられる。血液回路は、血液を浄化するダイアライザに患者から血液を送る動脈側ラインと、ダイアライザで浄化された血液を患者に戻すための静脈側ラインと、を主体として構成される。
静脈側ラインには、ラインに混入した気泡や凝固した血液等を除去するため、また、静脈圧を測定するため、一定量の血液を貯留するチャンバが設けられる。チャンバにおいては、チャンバ内の上部に空気層を形成するため、血液等の液体の液面高さを調整する液面調整が行われる。
【０００３】
血液回路に血液を流して血液浄化を開始する前には、生理食塩水、透析液等のプライミング液を用いて血液回路やダイアライザ内部を洗浄して残留物や気泡等を除去し、プライミング液で置換するプライミングと呼ばれる準備作業を行う。
現在では、多用途透析装置等にて、自動的にプライミングを実施する自動プライミング機能を備える血液浄化装置が一般的となっている。
自動プライミングを可能とするため、チャンバには所定の液面高さでプライミング液を排出できるようにオーバーフローラインが接続されており、動脈側ラインと静脈側ラインとを接続して閉回路を形成してプライミング液を循環させ、オーバーフローラインからプライミング液を排出させて液面調整を行う構成となっている（例えば、特許文献１参照）。
【先行技術文献】
【特許文献】
【０００４】
【特許文献１】特開２０１４−１８８２１９号公報
【発明の概要】
【発明が解決しようとする課題】
【０００５】
オーバーフローラインは外部と連通する開放回路であるので、プライミング完了時に鉗子により手動でまたは自動クランプ等で閉鎖され、原則として血液浄化中に用いられることはない。
このように主にプライミング時のみに使用されるオーバーフローラインや該ラインを閉鎖する自動クランプ等は、血液回路の生産コスト増の一因となる。また、鉗子により手動でオーバーフローラインを閉鎖する場合は、医療従事者の手間がかかる。
【０００６】
従って、本発明は、オーバーフローラインを用いなくともチャンバの液面調整が可能な液面調整機構及び該液面調整機構を備える血液浄化装置を提供することを目的とする。
【課題を解決するための手段】
【０００７】
本発明は、液体を貯留するチャンバ本体と、先端部が前記チャンバ本体の内部における所定の高さまで延び該チャンバ本体に液体を導入する導入口と、前記チャンバ本体における該導入口の前記先端部よりも上部に配置され気体が流入または流出する通気口と、前記チャンバ本体の底部に配置され液体を導出する導出口と、を有するチャンバと、一端側が前記導入口の基端側に接続される第１の連通ラインと、一端側が前記導出口に接続される第２の連通ラインと、前記第１の連通ラインに設けられる第１の電極と、前記第２の連通ラインに設けられる第２の電極と、一端側が前記通気口に接続される通気ラインと、前記通気ラインに設けられる開閉弁と、前記チャンバ本体に貯留される液体の液面を上昇または下降させることが可能な液面調整手段と、を備え、前記第１の電極により電位が印加された前記導入口における液体と前記第２の電極により電位が印加された前記チャンバ本体に貯留される液体との接触の有無により変化する前記第１の電極と前記第２の電極との間のインピーダンスに基づいて、前記液面調整手段の作動及び前記開閉弁の開閉を制御して、前記チャンバ本体に貯留される液体の液面を所定の高さに調整する液面調整機構に関する。
【０００８】
また、本発明は、前記液面調整機構と、ポンプセグメント部を有する動脈側ラインと静脈側ラインとを含んで構成される血液回路と、前記動脈側ラインと前記静脈側ラインとの間に介在して配置され、前記血液回路を流れる血液を浄化可能な血液浄化手段と、前記血液回路に接続され、プライミング液を供給するプライミング液供給ラインと、前記ポンプセグメント部が装着され、前記動脈側ライン内の液体を間欠的に送液可能な血液ポンプと、前記第１の電極と、前記第２の電極と、前記第１の電極と前記第２の電極との間のインピーダンスを測定する測定部と、を有する測定手段と、前記測定手段により測定されたインピーダンスの値に基づいて、前記液面調整手段の作動及び前記開閉弁の開閉を制御する制御手段と、を備え、前記動脈側ラインは、一端側に動脈側接続端を有し他端側が前記ポンプセグメント部の上流側に接続される動脈側上流ラインと、一端側が前記ポンプセグメント部の下流側に接続され他端側が前記血液浄化手段に接続される動脈側下流ラインと、を有し、前記静脈側ラインは、一端側が前記血液浄化手段に接続され他端側が前記導入口の基端側に接続される静脈側上流ラインと、一端側が前記導出口に接続され他端側に静脈側接続端を有する静脈側下流ラインと、を有し、前記第１の連通ラインは、前記動脈側下流ラインと、前記静脈側上流ラインと、を含んで構成され、前記第２の連通ラインは、前記静脈側下流ラインを含んで構成され、プライミング液は、前記動脈側接続端及び前記静脈側接続端から排出可能である血液浄化装置に関する。
【０００９】
また、前記通気ラインは、静脈圧を測定するための静脈圧センサが設けられ、前記液面調整手段は、前記通気ラインの他端側に設けられ、前記チャンバに対して気体の流入及び流出を行う液面調整ポンプであることが好ましい。
【００１０】
また、前記血液浄化手段に対し透析液の導入及び導出を行う透析液送液ポンプと、一端側が前記透析液送液ポンプに接続され他端側が前記血液浄化手段に接続される透析液導入ラインと、一端側が前記血液浄化手段に接続され他端側が前記透析液送液ポンプに接続される透析液導出ラインと、を含んで構成される透析液回路と、をさらに備え、前記プライミング液供給ラインとして、前記透析液導入ラインを用い、前記血液回路をプライミングするプライミング液として、前記血液浄化手段において逆ろ過された逆ろ過透析液を用い、前記第１の連通ラインは、前記透析液回路をさらに含んで構成されることが好ましい。
【００１１】
また、前記透析液回路は、前記透析液導入ラインまたは前記透析液導出ラインから分岐して、前記動脈側下流ラインまたは前記静脈側上流ラインに接続される透析液分岐ラインをさらに備え、プライミング液として、透析液を用いることが好ましい。
【００１２】
また、一端側からプライミング液を排出可能であり、他端側が分岐して前記静脈側接続端及び前記動脈側接続端に接続される排液ラインをさらに備え、前記第２の連通ラインは、前記動脈側上流ラインと、前記排液ラインと、をさらに含んで構成されることが好ましい。
【００１３】
また、前記測定部が設けられる装置本体をさらに備えており、前記第１の連通ラインの一部は、前記装置本体に配置されており、前記第１の電極は、前記第１の連通ラインのうち、前記装置本体に配置される部位に設けられることが好ましい。
【００１４】
また、前記血液浄化装置は、前記測定部が設けられる装置本体を備えており、前記第２の連通ラインの一部は、前記装置本体に配置されており、前記第２の電極は、前記第２の連通ラインのうち、前記装置本体に配置される部位に設けられることが好ましい。
【発明の効果】
【００１５】
本発明の液面調整機構によれば、第１の電極と第２の電極との間の導通の有無により、チャンバ本体に貯留される液体の液面が導入口の先端部に到達しているか否かを検出することができるので、液面調整手段の作動及び通気ラインに設けられる開閉弁の開閉を制御することで液面調整が可能となる。また、本発明の血液浄化装置によれば、プライミング時に動脈側接続部及び静脈側接続部からプライミング液を排出でき、液面調整が可能となる。
【図面の簡単な説明】
【００１６】
【図１】本発明の第１実施形態に係る血液浄化装置の全体構成を示す図である。
【図２】第１実施形態におけるチャンバの液面調整についての説明図である。
【図３】本発明の第２実施形態に係る血液浄化装置の全体構成を示す図である。
【図４Ａ】本発明の変形例１に係る血液浄化装置の全体構成を示す図である。
【図４Ｂ】本発明の変形例１に係る血液浄化装置の全体構成を示す図である。
【図５】本発明の第３実施形態に係る血液浄化装置の全体構成を示す図である。
【発明を実施するための形態】
【００１７】
以下、本発明の液面調整機構を適用可能な血液浄化装置の好ましい各実施形態について、図面を参照しながら説明する。本発明の血液浄化装置は、腎不全患者や薬物中毒患者の血液を浄化すると共に、血液中の余分な水分を除去し、必要に応じて血液中に水分を補充（補液）する。
【００１８】
まず、第１実施形態の血液浄化装置１の全体構成及びチャンバの構成について図１及び２を参照しながら説明する。血液浄化装置１は、いわゆるＨＤ（Ｈｅｍｏｄｉａｌｙｓｉｓ）と呼ばれる血液透析を行う装置である。
図１に示すように、血液浄化装置１は、チャンバとしてのドリップチャンバ１０と、液面調整手段としての液面調整ポンプ１００と、血液回路２０と、血液ポンプ２００と、血液浄化手段としてのダイアライザ３０と、透析液回路４０と、透析液送液ポンプ４００と、測定手段５０と、制御手段６０と、を備える。
【００１９】
ドリップチャンバ１０は、図２（ａ）に示すように、チャンバ本体１１と、このチャンバ本体１１に液体を導入する導入口１２と、気体が流入または流出する通気口１３と、液体を導出するためチャンバ底部に配置される導出口１４と、を有する。ドリップチャンバ１０は、可撓性を有する材質により構成され、血液回路２０内の気泡や血栓等を取り除くために後述する静脈側ライン２２に設けられ、例えば２０ｍｌ程度の所定量の液体を貯留可能である。
導入口１２は、先端部がチャンバ本体１１の内部における所定の高さまで延びている。
通気口１３は、導入口１２の先端部よりも上部に配置され、通気ライン１２１の一端側が接続される。この通気ライン１２１には、電磁弁で構成されて通気ライン１２１の流路を開閉する開閉弁１２２と、静脈側ライン２２を流通する血液の圧力を検出する静脈圧センサ１２３が設けられる。また、通気ライン１２１の他端側は、液面調整ポンプ１００に接続される。
【００２０】
液面調整ポンプ１００は、開閉弁１２２を開状態として通気口１３及び通気ライン１２１を介してチャンバ内に気体を流入させ、またチャンバ内から気体を流出させることにより、ドリップチャンバ１０のチャンバ本体１１に貯留される液体の液面高さを上昇または下降させることが可能である。また、液面調整ポンプ１００を用いて所定の液面高さに調整された後、開閉弁１２２を閉状態とすることで、チャンバ内の液面高さを保持することができる。
【００２１】
血液回路２０は、動脈側ライン２１と、静脈側ライン２２と、薬剤ライン２３と、を備える。動脈側ライン２１、静脈側ライン２２及び薬剤ライン２３は、いずれも液体が流通可能な可撓性を有するチューブを主体として構成される。
【００２２】
動脈側ライン２１は、動脈側上流ライン２１ａと、動脈側下流ライン２１ｂと、ポンプセグメント部２１ｃと、で構成される。
動脈側上流ライン２１ａは、一端側に対象者（透析患者）の動脈に接続される動脈側接続端２１１を有し、他端側がポンプセグメント部２１ｃの上流側に接続される。また、動脈側上流ライン２１ａに配置される気泡センサ２１２は、動脈側ライン２１の内部を流通する血液中に含まれる気泡を検出する。
動脈側下流ライン２１ｂは、一端側がポンプセグメント部２１ｃの下流側に接続され他端側がダイアライザ３０に接続される。
ポンプセグメント部２１ｃは、後述の血液ポンプ２００に装着される。
【００２３】
静脈側ライン２２は、静脈側上流ライン２２ａと、静脈側下流ライン２２ｂと、で構成される。
静脈側上流ライン２２ａは、一端側がダイアライザ３０に接続され他端側がドリップチャンバ１０の導入口１２の基端側に接続される。
静脈側下流ライン２２ｂは、一端側がドリップチャンバ１０の導出口１４に接続され他端側に対象者（透析患者）の静脈に接続される静脈側接続端２２１を有する。静脈側下流ライン２２ｂには、気泡センサ２２２、静脈側クランプ２２３が配置される。
気泡センサ２２２は、静脈側ライン２２の内部を流通する血液中に含まれる気泡を検出する。静脈側クランプ２２３は、静脈側下流ライン２２ｂにおける気泡センサ２２２よりも下流側に配置される。静脈側クランプ２２３は、気泡センサ２２２による気泡の検出結果に応じて制御され、静脈側下流ライン２２ｂの流路を開閉する。
【００２４】
薬剤ライン２３は、血液透析中に必要な薬剤を動脈側ライン２１に供給する。薬剤ライン２３は、一端側（基端側）が薬剤を送り出す薬液ポンプ２３１に接続され、他端側（先端側）が動脈側下流ライン２１ｂに接続される。また、薬剤ライン２３には不図示のクランプ手段が設けられており、薬剤を注入するとき以外は、クランプ手段により流路は閉鎖された状態である。
【００２５】
血液ポンプ２００は、装着されたポンプセグメント部２１ｃを構成するチューブをローラーでしごくことにより、動脈側ライン２１の内部の液体を送り出すことができる。
【００２６】
ダイアライザ３０は、筒状に形成された容器本体３１と、この容器本体３１の内部に収容された透析膜（図示せず）と、を備え、容器本体３１の内部は、透析膜により血液側流路と透析液側流路とに区画される（いずれも図示せず）。容器本体３１には、血液側流路に連通する血液導入口３１１及び血液導出口３１２と、透析液側流路に連通する透析液導入口３１３及び透析液導出口３１４と、が形成される。
血液導入口３１１には、動脈側下流ライン２１ｂの下流側が接続され、血液導出口３１２には、静脈側上流ライン２２ａの上流側が接続される。
【００２７】
以上のドリップチャンバ１０、血液回路２０、血液ポンプ２００、ダイアライザ３０によれば、対象者（透析患者）の動脈から取り出された血液は、血液ポンプ２００により動脈側ライン２１を流通してダイアライザ３０の血液側流路に導入される。ダイアライザ３０に導入された血液は、透析膜を介して後述する透析液回路４０を流通する透析液により浄化される。ダイアライザ３０において浄化された血液は、静脈側ライン２２を流通して対象者の静脈に返血される。
【００２８】
透析液回路４０は、本実施形態では、いわゆる密閉容量制御方式の透析液回路により構成される。この透析液回路４０は、透析液供給ライン４１と、透析液導入ライン４２と、透析液導出ライン４３と、透析液排液ライン４４と、を備える。
【００２９】
透析液送液ポンプ４００は、透析液チャンバ４１０と、バイパスライン４２０と、除水／逆ろ過ポンプ４３０と、を備える。
透析液チャンバ４１０は、一定容量（例えば、３００ｍｌ〜５００ｍｌ）の透析液を収容可能な硬質の容器４１１と、この容器４１１の内部を区画する軟質の隔膜（ダイアフラム）４１２と、を備える。透析液チャンバ４１０の内部は、隔膜４１２により送液収容部４１３及び排液収容部４１４に区画される。
【００３０】
バイパスライン４２０は、透析液導出ライン４３と透析液排液ライン４４とを接続する。
【００３１】
除水／逆ろ過ポンプ４３０は、バイパスライン４２０に配置される。除水／逆ろ過ポンプ４３０は、バイパスライン４２０の内部の透析液を透析液排液ライン４４側に流通させる方向（除水方向）及び透析液導出ライン４３側に流通させる方向（逆ろ過方向）に送液可能に駆動するポンプにより構成される。
【００３２】
透析液供給ライン４１は、基端側が透析液供給装置（図示せず）に接続され、先端側が透析液チャンバ４１０に接続される。透析液供給ライン４１は透析液チャンバ４１０の送液収容部４１３に透析液を供給する。
【００３３】
透析液導入ライン４２は、透析液チャンバ４１０とダイアライザ３０の透析液導入口３１３とを接続し、透析液チャンバ４１０の送液収容部４１３に収容された透析液をダイアライザ３０の透析液側流路に導入する。
【００３４】
透析液導出ライン４３は、ダイアライザ３０の透析液導出口３１４と透析液チャンバ４１０とを接続し、ダイアライザ３０から排出された透析液を透析液チャンバ４１０の排液収容部４１４に導出する。
【００３５】
透析液排液ライン４４は、基端側が透析液チャンバ４１０に接続され、排液収容部４１４に収容された透析液の排液を排出する。
【００３６】
以上の透析液回路４０及び透析液送液ポンプ４００によれば、透析液チャンバ４１０を硬質の容器４１１及びこの容器４１１の内部を区画するダイアフラム４１２により構成することで、透析液チャンバ４１０からの透析液の導出量（送液収容部４１３への透析液の供給量）と、透析液チャンバ４１０（排液収容部４１４）に回収される排液の量と、を同量にできる。
これにより、除水／逆ろ過ポンプ４３０を停止させた状態では、ダイアライザ３０に導入される透析液の流量とダイアライザ３０から導出される透析液（排液）の量とを同量にできる。
【００３７】
また、除水／逆ろ過ポンプ４３０を逆ろ過方向に送液するように駆動させた場合には、透析液チャンバ４１０から排出された排液の一部がバイパスライン４２０及び透析液導出ライン４３を通って再び透析液チャンバ４１０に回収される。そのため、ダイアライザ３０から導出される透析液の量は、透析液チャンバ４１０に回収される量（即ち、透析液導入ライン４２を流通する透析液の量）から、バイパスライン４２０を流通する透析液の量を減じた量となる。これにより、ダイアライザ３０から導出される透析液の量は、バイパスライン４２０を通って再び透析液チャンバ４１０に回収される透析液（排液）の量分だけ、透析液導入ライン４２を流通する透析液の流量よりも少なくなる。即ち、除水／逆ろ過ポンプ４３０を逆ろ過方向に送液するように駆動させた場合は、ダイアライザ３０において、血液回路２０に所定量の透析液が注入（逆ろ過）される（図１、３及び４Ａ参照）。
【００３８】
一方、除水／逆ろ過ポンプ４３０を除水方向に送液するように駆動させた場合には、透析液導出ライン４３を流通する透析液の量は、透析液チャンバ４１０に回収される透析液の量（即ち、透析液導入ライン４２を流通する透析液の量）に、バイパスライン４２０を流通する透析液の量を加えた量となる。これにより、透析液導出ライン４３を流通する透析液の量は、バイパスライン４２０を通って透析液排液ライン４４に排出される透析液（排液）の量分だけ、透析液導入ライン４２を流通する透析液の量よりも多くなる。即ち、除水／逆ろ過ポンプ４３０を除水方向に送液するように駆動させた場合は、ダイアライザ３０において、血液から所定量の除水が行われる（図５参照）。
【００３９】
測定手段５０は、第１の電極５１と、第２の電極５２と、第１の電極５１と第２の電極５２との間のインピーダンスを測定する測定部５４と、を備える。第１の電極５１及び第２の電極５２には測定部５４からそれぞれ配線が接続される。
【００４０】
制御手段６０は、情報処理装置（コンピュータ）により構成され、制御プログラムを実行することにより、血液浄化装置１の動作を制御する。
具体的には、制御手段６０は、血液回路２０及び透析液回路４０に配置された各種のポンプやクランプ等の動作を制御して、血液浄化装置１により行われる各種工程（運転（透析）工程、洗浄工程、プライミング工程、脱血工程、補液工程、返血工程等）を実行する。
【００４１】
また、制御手段６０は、血液回路２０やダイアライザ３０を洗浄し清浄化する準備工程であるプライミング工程、穿刺後に患者の血液を血液回路２０に充填させて体外循環させる脱血工程、脱血工程に続いて行われる透析工程、血液回路２０内の血液を患者の体内に戻す返血工程を行う。
【００４２】
上述の測定手段５０が備える測定部５４や制御手段６０、液面調整ポンプ１００、血液ポンプ２００、透析液送液ポンプ４００等の各種ポンプや、気泡センサ２１２、２２２、静脈側クランプ２２３は、血液浄化装置１における装置本体１ａに配置される。
血液回路２０におけるポンプセグメント部２１ｃや静脈側下流ライン２２ｂのうち気泡センサ２２２が取り付けられる部位等、血液回路２０一部は装置本体１ａに着脱可能に装着されて配置される。また、透析液回路４０における透析液送液ポンプ４００と接続される透析液導入ライン４２及び透析液導出ライン４３の一端側等、透析液回路４０の一部も装置本体１ａに配置される。
【００４３】
ここで、本発明の液面調整機構について、血液浄化装置１の構成を用いて説明する。
液面調整機構は、ドリップチャンバ１０と、ドリップチャンバ１０の導入口１２の基端側に接続される第１の連通ライン１０１と、ドリップチャンバ１０の導出口１４に接続される第２の連通ライン１０２と、第１の連通ライン１０１に設けられる第１の電極５１と、第２の連通ライン１０２に設けられる第２の電極５２と、通気ライン１２１と、開閉弁１２２と、液面調整ポンプ１００と、を備える。
【００４４】
第１の連通ライン１０１、ドリップチャンバ１０及び第２の連通ライン１０２に液体を流すと、第１の連通ライン１０１を流れる液体は、導入口１２の先端部からドリップチャンバ１０の内部に導入される。
通気口１３からチャンバ内部の空気を排出する、または、クランプ手段等により第２の連通ライン１０２の流量を第１の連通ラインの流量よりも小さくする等の操作をしない限り、ドリップチャンバ１０の内部に導入された液体は、導出口１４から導出されて第２の連通ライン１０２に流れて行き、液体はチャンバ本体１１に貯留されない。従って、第１の連通ライン１０１及び第２の連通ライン１０２を流れる液体は、図２（ａ）に示すように液面調整前のドリップチャンバ１０において電気的に絶縁された状態である。従って、第１の電極５１及び第２の電極５２によりそれぞれ所定の電位が印加された場合、各連通ライン１０１、１０２内においてそれぞれ所定の電位が保たれる。即ち、第１の電極５１及び第２の電極５２により各連通ライン１０１及び１０２を流れる液体は、所定の電圧が印加された状態であると言える。
【００４５】
このような状態において、液面調整ポンプ１００を作動させてドリップチャンバ１０内の空気を排出して行くと、ドリップチャンバ１０内に導入される液体の液面は徐々に上昇して行き、図２（ｂ）に示すように導入口１２の先端部に到達して、導入口１２における液体とドリップチャンバ１０内に貯留される液体とが接触して導通する。導通による第１の電極５１と第２の電極５２との間のインピーダンスの変化（低下）が測定部５４により測定されて、導通が確認された時点で開閉弁１２２を閉鎖するように制御して、所定の高さに液面を保つことにより液面調整が行われる。
【００４６】
本実施形態において、第１の連通ライン１０１は、血液回路２０における動脈側下流ライン２１ｂ及び静脈側上流ライン２２ａと、透析液回路４０における透析液導入ライン４２と透析液導出ライン４３と、により構成される。ここで、動脈側ライン２１は、血液ポンプ２００のローラーによりしごかれるポンプセグメント部２１ｃにおいて液体の流れが遮断されるので、動脈側上流ライン２１ａは動脈側下流ライン２１ｂとは電気的に絶縁されており、第１の連通ライン１０１に含まれない。
【００４７】
第１の電極は第１の連通ライン１０１内であれば、いずれの位置に配置してもよく、本実施形態においては動脈側下流ライン２１ｂに配置した。
【００４８】
第２の連通ライン１０２は、静脈側下流ライン２２ｂにより構成され、第２の電極は、静脈側下流ライン２２ｂに配置される。
【００４９】
以上説明した液面調整機構を備える血液浄化装置１において行うプライミング工程について、図１を参照して以下に説明する。
【００５０】
本実施形態においては、逆ろ過運転によるプライミング工程を行う。図１に示すように、静脈側クランプ２２３を開状態とし、血液回路２０の動脈側接続端２１１及び静脈側接続端２２１は開放状態としておく。
【００５１】
透析液送液ポンプ４００における除水／逆ろ過ポンプ４３０を、逆ろ過方向に送液するように駆動させ作動させる。除水／逆ろ過ポンプ４３０の送給量を４００ｍｌ／ｍｉｎとすることで、プライミング液供給ラインとして用いられる透析液導入ライン４２からダイアライザ３０を介して血液回路２０に４００ｍｌ／ｍｉｎの逆ろ過透析液（プライミング液）が注入される。
【００５２】
血液ポンプ２００は、血液回路２０内の透析液を３６０ｍｌ／ｍｉｎの送液量で透析工程とは逆に送るように作動させ、動脈側接続端２１１から３６０ｍｌ／ｍｉｎの透析液が排出される。ドリップチャンバ１０には、４０ｍｌ／ｍｉｎの逆ろ過透析液が送液され、静脈側接続端２２１から４０ｍｌ／ｍｉｎの逆ろ過透析液が排出される。
【００５３】
上述のように逆ろ過透析液がドリップチャンバ１０内を流れている状態で、制御手段６０により液面調整ポンプ１００を駆動させ、チャンバ本体１１に貯留される液体の液面が導入口１２の先端部に到達したことを、第１の電極と第２の電極とのインピーダンスの値の変化を測定手段５０により測定する。その測定結果に基づいて、制御手段６０により開閉弁１２２を閉状態とする。これにより、ドリップチャンバ１０の液面調整を簡易な操作により行えるので、制御手段６０により自動でプライミング工程を実施することができる。
【００５４】
以上説明した第１実施形態の液面調整機構及び血液浄化装置１によれば、以下のような効果を奏する。
【００５５】
（１）液面調整機構を、チャンバ本体１１と導入口１２と通気口１３と導出口１４とを有するドリップチャンバ１０と、導入口１２の基端側に接続され第１の電極５１が設けられ、第１の連通ライン１０１と、導出口１４に接続され第２の電極５２が設けられ、第２の連通ライン１０２と、液面調整手段としての液面調整ポンプ１００と、通気ライン１２１に設けられる開閉弁１２２と、を含んで構成した。これにより、導入口１２における液体とチャンバ本体１１に貯留される液体との接触の有無により変化する電極５１、５２間のインピーダンスに基づいて、液面調整ポンプ１００及び開閉弁１２２の開閉を制御して、チャンバ本体１１に貯留される液体の液面を所定の高さに調整することができる。
【００５６】
（２）液面調整機構を備える血液浄化装置１を、血液回路２０と、血液浄化手段としてのダイアライザ３０と、プライミング液供給ライン（透析液導入ライン４２）と、血液ポンプ２００と、第１の電極５１及び第２の電極５２間のインピーダンスを測定するための測定手段５０と、液面調整手段としての液面調整ポンプ１００及び開閉弁１２２を制御する制御手段と、を備え、第１の連通ライン１０１が動脈側下流ライン２１ｂと静脈側上流ライン２２ａとを含んで構成し、第２の連通ライン１０２が静脈側下流ライン２２ｂを含んで構成し、プライミング液が動脈側接続端２１１及び静脈側接続端２２１から排出可能であるものとした。これにより、プライミング液を排出するためのオーバーフローラインをドリップチャンバに取り付けなくとも、ドリップチャンバ１０の液面調整が可能となりプライミング工程を実施することができる。
従って、プライミング時のみに使用されるオーバーフローラインや該ラインを閉鎖する自動クランプ等が不要となり、血液回路の生産コストを低減することができる。また、医療従事者によりオーバーフローラインを閉鎖する等の手間を省くことができる。また、オーバーフローラインの閉鎖が不十分であるために血液回路内の血液が外部に流出する等の事故の発生を未然に防止することができ、安全性を向上できる。
【００５７】
（３）通気ライン１２１に静脈圧を測定するための静脈圧センサ１２３設け、液面調整手段としての液面調整ポンプ１００を通気ライン１２１の他端側に設けるものとした。これにより、従来から静脈圧を測定するために用いられるモニタラインを利用して、液面調整ポンプ１００により、ドリップチャンバ１０に対して気体の流入及び流出を行うことができる。
【００５８】
（４）血液浄化手段としてのダイアライザ３０に対し透析液の導入及び導出を行う透析液送液ポンプ４００と、透析液導入ライン４２と透析液導出ライン４３とを含んで構成される透析液回路４０と、をさらに備え、プライミング液供給ラインとして透析液導入ライン４２を用い、血液回路２０をプライミングするプライミング液としてダイアライザ３０において逆ろ過された逆ろ過透析液を用いるものとし、第１の連通ライン１０１は透析液回路４０をさらに含んで構成されるものとした。これにより、第１の電極５１は、血液回路２０だけでなく、透析液回路４０に対しても配置可能となり、電極の配置の自由度が高くなるので、血液浄化装置１の設計の自由度を高めることができる。また、プライミング液として逆ろ過透析液を用いるので、プライミング液供給ラインとして生理食塩水ライン等を別途設ける必要がなく、血液浄化装置１の構成を簡易化できる。
【００５９】
次に、本発明の第２実施形態に係る血液浄化装置１Ａにつき、図３を参照しながら説明する。第２実施形態の血液浄化装置１Ａは、主として、プライミング液を排出する排液ライン７０を備える点、及び、第１の電極５１及び第２の電極５２が装置本体１ａ側に配置される点の２点で第１実施形態に係る血液浄化装置１とは異なる。尚、第２実施形態の説明にあたって、同一構成要件については同一符号を付し、その説明を省略もしくは簡略化する。
【００６０】
図３に示すように、血液浄化装置１Ａは、チャンバとしてのドリップチャンバ１０と、液面調整手段としての液面調整ポンプ１００と、血液回路２０と、血液ポンプ２００と、血液浄化手段としてのダイアライザ３０と、透析液回路４０と、透析液送液ポンプ４００と、測定手段５０と、制御手段６０と、排液ライン７０と、を備える。
【００６１】
排液ライン７０は、一端側からプライミング液を排出可能であり、他端側が分岐して静脈側接続端２２１及び動脈側接続端２１１に接続される。また、排液ライン７０の一端側は、装置本体１ａに配置される。
【００６２】
測定手段５０は、第１の電極５１と、第２の電極５２と、第１の電極５１と第２の電極５２との間のインピーダンスを測定する測定部５４と、を備える。第１の電極５１及び第２の電極５２には測定部５４からそれぞれ配線が接続される。また、測定部５４は、装置本体１ａに設けられる。
【００６３】
本実施形態において、第１の連通ライン１０１は、血液回路２０における動脈側下流ライン２１ｂ及び静脈側上流ライン２２ａと透析液回路４０とにより構成される。
第１の電極は第１の連通ライン１０１内であれば、いずれの位置に配置してもよく、本実施形態においては透析液導入ライン４２のうち装置本体１ａ側に装着される部位に配置した。
【００６４】
第２の連通ライン１０２は、静脈側下流ライン２２ｂと動脈側上流ライン２１ａと排液ライン７０とにより構成される。
第２の電極は、第２の連通ライン１０２内であれば、いずれの位置に配置してもよく、本実施形態においては排液ライン７０のうち装置本体１ａ側に装着される部位に配置した。
【００６５】
本実施形態のプライミング工程、液面調整の手順等は、プライミング液が排液ライン７０から排出されること以外は第１実施形態と同様であるので、説明を省略する。
【００６６】
以上説明した第２実施形態の液面調整機構及び血液浄化装置１Ａによれば、上述した（１）〜（４）の効果に加え、以下のような効果を奏する。
【００６７】
（５）血液浄化装置１Ａは、一端側からプライミング液を排出可能であり、他端側が分岐して静脈側接続端２２１及び動脈側接続端２１１に接続される排液ライン７０をさらに備え、第２の連通ライン１０２は、動脈側上流ライン２１ａと、排液ライン７０と、をさらに含むものとした。これにより、プライミング液が排出されるラインを１本にまとめることができ、排液の作業が容易となる。また、第２の電極５２は、静脈側下流ライン２２ｂだけでなく、動脈側上流ライン２１ａ及び排液ライン７０に対しても配置可能となり、電極の配置の自由度が高くなるので、血液浄化装置１Ａの設計の自由度を高めることができる。
【００６８】
（６）測定部５４は装置本体１ａに設けられており、第１の連通ライン１０１の一部は、装置本体１ａに配置されており、第１の電極５１は、第１の連通ライン１０１のうち、装置本体１ａに配置される部位に設けられるものとした。これにより、第１の電極５１は装置本体１ａ側に配置されるので、測定部５４と第１の電極５１とを装置本体１ａ側で接続することができ、測定手段５０を簡易な構成とすることができる。
【００６９】
（７）測定部５４は装置本体１ａに設けられており、第２の連通ライン１０２の一部は、装置本体１ａに配置されており、第２の電極５２は、第２の連通ライン１０２のうち、装置本体１ａに配置される部位に設けられるものとした。これにより、第２の電極５２は装置本体１ａ側に配置されるので、測定部５４と第２の電極５２とを装置本体１ａ側で接続することができ、測定手段５０を簡易な構成とすることができる。
【００７０】
次に、本発明の第２の実施形態の変形例１に係る血液浄化装置１Ｂにつき、図４Ａ及び４Ｂを参照しながら説明する。変形例１の血液浄化装置１Ａは、主として、血液浄化の方法としていわゆるオンラインＨＤＦと呼ばれるオンライン血液ろ過透析（前希釈）による方法を用いる点、及び、プライミング液を排出する排液ライン７０全体が装置本体１ａ側に配置される点の２点で第２実施形態に係る血液浄化装置１Ａとは異なる。尚、変形例１の説明にあたって、同一構成要件については同一符号を付し、その説明を省略もしくは簡略化する。
【００７１】
図４Ａ及び４Ｂに示すように、変形例１における血液浄化装置１Ｂは、チャンバとしてのドリップチャンバ１０と、液面調整手段としての液面調整ポンプ１００と、血液回路２０と、血液ポンプ２００と、血液浄化手段としてのダイアライザ３０と、透析液回路４０Ｂと、透析液送液ポンプ４００と、測定手段５０と、制御手段６０と、排液ライン７０と、を備える。
【００７２】
透析液回路４０Ｂは、透析液供給ライン４１と、透析液導入ライン４２と、透析液導出ライン４３と、透析液排液ライン４４と、透析液導出ライン４３から分岐して動脈側下流ライン２１ｂに接続される透析液分岐ライン４５Ｂと、を備える。透析液分岐ライン４５Ｂには、該ライン４５の流路を開閉可能なオンライン用クランプ４５１と、オンライン用補液ポンプ４５２が配置される。
【００７３】
測定手段５０は、第１の電極５１と、第２の電極５２と、第１の電極５１と第２の電極５２との間のインピーダンスを測定する測定部５４と、を備える。第１の電極５１及び第２の電極５２には測定部５４からそれぞれ配線が接続される。また、測定部５４は、装置本体１ａに設けられる。
【００７４】
排液ライン７０は、一端側からプライミング液を排出可能であり、他端側が分岐して静脈側接続端２２１及び動脈側接続端２１１に接続される。また、排液ライン７０は、装置本体１ａ内に配置されており、動脈側上流ライン２１ａの動脈側接続端２１１及び静脈側下流ライン２２ｂの静脈側接続端２２１を装置本体１ａ内に配置された排液ライン７０の２つの接続端に直接、接続する構成とした。
【００７５】
本変形例において、第１の連通ライン１０１は、血液回路２０における動脈側下流ライン２１ｂ及び静脈側上流ライン２２ａと、透析液回路４０Ｂにおける透析液導入ライン４２と透析液導出ライン４３とにより構成される。
第１の電極は第１の連通ライン１０１内であれば、いずれの位置に配置してもよく、本変形例においては透析液導出ライン４３のうち装置本体１ａ側に装着される部位に、第２実施形態と同様の方法で配置した。
【００７６】
第２の連通ライン１０２は、静脈側下流ライン２２ｂと動脈側上流ライン２１ａと排液ライン７０とにより構成される。
第２の電極は、第２の連通ライン１０２内であれば、いずれの位置に配置してもよく、本実施形態においては装置本体１ａ側に装着された排液ライン７０に配置した。
【００７７】
本変形例のプライミング工程について、図４Ａ及び４Ｂを参照して以下に説明する。
【００７８】
本変形例においては、逆ろ過運転によるプライミング工程１を行った後、オンライン運転によるプライミング工程２を行う。
【００７９】
逆ろ過運転によるプライミング工程１は、図４Ａに示すように、オンライン用クランプ４５１を閉状態とし、静脈側クランプ２２３を開状態とし、血液回路２０の動脈側接続端２１１及び静脈側接続端２２１は排液ライン７０に接続しておく。
本変形例におけるプライミング工程１は、オンライン用クランプ４５１を閉状態としたこと以外は、第２実施形態におけるプライミング工程と同様であるので、説明を省略する。
【００８０】
オンライン運転によるプライミング工程２は、図４Ｂに示すように、オンライン用クランプ４５１を開状態とし、静脈側クランプ２２３を開状態とし、血液回路２０の動脈側接続端２１１及び静脈側接続端２２１は排液ライン７０に接続しておく。
【００８１】
透析液送液ポンプ４００における除水／逆ろ過ポンプ４３０を、逆ろ過方向に送液するように駆動させ作動させる。除水／逆ろ過ポンプ４３０の送給量を４００ｍｌ／ｍｉｎとすることで、プライミング液供給ラインとして用いられる透析液導出ライン４３から血液回路２０における動脈側下流ライン２１ｂに４００ｍｌ／ｍｉｎの透析液（プライミング液）が注入される。
【００８２】
血液ポンプ２００は、血液回路２０内の透析液を３６０ｍｌ／ｍｉｎの送液量で透析工程とは逆に送るように作動させ、動脈側接続端２１１から３６０ｍｌ／ｍｉｎの透析液が排液ライン７０の分岐した一端側に流される。ドリップチャンバ１０には、４０ｍｌ／ｍｉｎの透析液が送液され、静脈側接続端２２１から４０ｍｌ／ｍｉｎの透析液が排液ライン７０の分岐した他端側に流される。排液ライン７０の分岐した側とは反対側から４００ｍｌ／ｍｉｎの透析液（プライミング液）が排出される。
【００８３】
プライミング工程１に続けてプライミング工程２を行い、第１及び第２実施形態と同様に液面調整を行った。
【００８４】
以上説明した変形例１の液面調整機構及び血液浄化装置１Ｂによれば、上述した（１）〜（７）の効果に加え、以下のような効果を奏する。
【００８５】
（８）透析液回路４０Ｂは、透析液導入ライン４２と、透析液導出ライン４３と、透析液導出ライン４３から分岐して動脈側下流ライン２１ｂに接続される透析液分岐ライン４５Ｂと、を備え、プライミング液として、逆ろ過透析液または透析液を用いる構成とした。これにより、第１の電極５１は、血液回路２０における動脈側下流ライン２１ｂ及び静脈側上流ライン２２ａだけでなく、透析液回路４０Ｂにおける透析液導入ライン４２、透析液導出ライン４３及び透析液分岐ライン４５Ｂに対しても配置可能となり、電極の配置の自由度が高くなるので、血液浄化装置１Ｂの設計の自由を高めることができる。また、プライミング液として逆ろ過透析液または透析液を用いるので、プライミング液供給ラインとして生理食塩水ライン等を別途設ける必要がなく、血液浄化装置１Ｂの構成を簡易化できる。
【００８６】
（９）排液ライン７０は、装置本体１ａ内に配置されており、動脈側上流ライン２１ａの動脈側接続端２１１及び静脈側下流ライン２２ｂの静脈側接続端２２１を装置本体１ａ内に配置された排液ライン７０の２つの接続端に直接、接続する構成とした。これにより、排液ライン７０を取り扱わなくとも、装置本体１ａに設けられた排液ライン７０の２つの接続端に動脈側接続端２１１及び静脈側接続端２２１を簡単に接続することができる。
【００８７】
次に、本発明の第３実施形態に係る血液浄化装置１Ｃにつき、図５を参照しながら説明する。
第３実施形態の血液浄化装置１Ｃは、静脈側下流ライン２２ｂに取り付けられる気泡センサ２２２を備えておらず、プライミング工程実施後、血液浄化中に測定手段５０を用いて、第１の電極５１と第２の電極５２との間のインピーダンスの変化をモニタし、気泡検出を行うものである。尚、血液浄化の方法としていわゆるオンラインＨＤＦと呼ばれるオンライン血液ろ過透析（後希釈）による方法を用いた。尚、第３実施形態の説明にあたって、第１及び第２実施形態、変形例１と同一構成要件については同一符号を付し、その説明を省略もしくは簡略化する。
【００８８】
図５は、血液浄化装置１Ｃを用いた血液浄化の一例として、オンラインＨＤＦにおける透析工程（ＨＤ）を示す。
【００８９】
血液浄化装置１Ｃは、チャンバとしてのドリップチャンバ１０と、液面調整手段としての液面調整ポンプ１００と、血液回路２０と、血液ポンプ２００と、血液浄化手段としてのダイアライザ３０と、透析液回路４０Ｃと、透析液送液ポンプ４００と、測定手段５０と、制御手段６０と、を備える。
【００９０】
透析液回路４０Ｃは、透析液供給ライン４１と、透析液導入ライン４２と、透析液導出ライン４３と、透析液排液ライン４４と、透析液導入ライン４２から分岐して静脈側上流ライン２２ａに接続される透析液分岐ライン４５Ｃと、を備える。透析液分岐ライン４５Ｃには、該ラインの流路を開閉可能なオンライン用クランプ４５１と、オンライン用補液ポンプ４５２が配置される。
【００９１】
本実施形態において、第１の連通ライン１０１は、血液回路２０における動脈側下流ライン２１ｂ及び静脈側上流ライン２２ａと、透析液回路４０Ｃにおける透析液導入ライン４２と透析液導出ライン４３と透析液分岐ライン４５Ｃとにより構成される。
第１の電極は第１の連通ライン１０１内であれば、いずれの位置に配置してもよく、本実施形態においては動脈側下流ライン２１ｂのうち装置本体１ａ側に装着される部位に、第２実施形態と同様の方法で配置した。
【００９２】
第２の連通ライン１０２は、静脈側下流ライン２２ｂにより構成され、第２の電極５２は、静脈側下流ライン２２ｂのうち気泡センサ２２２よりも上流側に配置した。
【００９３】
透析工程は、図５に示すように、オンライン用クランプ４５１を閉状態とし、静脈側クランプ２２３を開状態とし、動脈側接続端２１１及び静脈側接続端２２１は穿刺針に接続され、穿刺針は患者の血管に穿刺される。
血液ポンプ２００により患者の動脈から取り出された血液は、２００ｍｌ／ｍｉｎで流通してダイアライザ３０の血液導入口３１１に導入される。除水／逆ろ過ポンプ４３０を除水方向に例えば１０ｍｌ／ｍｉｎで作動させると、ダイアライザ３０に導入された血液は、透析膜を介して１０ｍｌ／ｍｉｎ除水され、透析液回路４０を流通する透析液により浄化される。ダイアライザ３０において浄化された血液は、静脈側ライン２２を流通して対象者の静脈に返血される。
【００９４】
このような透析工程において、測定手段５０により第１の電極５１と第２の電極５２との間のインピーダンスの変化をモニタすることにより、第１の電極５１と第２の電極５２との間のラインに気泡が混入または発生した場合、インピーダンスの増加を検出し、測定手段５０を気泡検出手段として用いることができる。また、透析工程に限らず、血液ろ過透析工程、急速補液工程、返血工程等のプライミング工程終了後において適用できる。
このように気泡検出手段として測定手段５０を用いる場合、血液回路２０内の気泡を検出するため、第１の電極５１及び第２の電極５２は、第１の連通ライン１０１及び第２の連通ライン１０２のうち、血液回路２０に配置されることが好ましい。また、第１の電極５１と第２の電極５２との間の距離を長くすることにより、広い範囲で気泡を検出することができる。
【００９５】
以上説明した第３実施形態に係る血液浄化装置１Ｃによれば、以下のような効果を奏する。
【００９６】
（１０）血液浄化装置１Ｃを、プライミング工程終了後の透析工程等において、測定手段５０により第１の電極５１と第２の電極５２との間のインピーダンスの変化をモニタするものとした。これにより、第１の電極５１と第２の電極５２との間のラインに気泡が混入または発生した場合、インピーダンスの増加を検出することにより、気泡を検出することができる。従って、測定手段５０を気泡検出手段として用いることができる。
【００９７】
（１１）第１の電極５１及び第２の電極５２は、第１の連通ライン１０１及び第２の連通ライン１０２のうち、血液回路２０に配置されるものとした。これにより、第１の電極５１と第２の電極５２との間の距離が長くなるので、広い範囲で気泡を検出することができる。
【００９８】
以上、本発明の液面調整機構及び血液浄化装置の好ましい各実施形態について説明したが、本発明は、上述した実施形態に制限されるものではなく、適宜変更が可能である。
例えば、上述の実施形態では、本発明を適用した血液浄化方法として、血液透析（第１及び第２実施形態）やオンライン血液ろ過透析（変形例１及び第３実施形態）を示したがこれらに限らない。プライミング時に液面調整が必要なドリップチャンバを用いる血液浄化方法であれば、本発明を適用できる。
【００９９】
また、上述の実施形態では、ドリップチャンバ１０は、チャンバ上部に基端側が垂直方向を向いた導入口を備える構成としたが、基端側が水平方向を向いた導入口を備える構成としてもよい。
【０１００】
また、上述の実施形態では、液面調整手段として液面調整ポンプを用いる例を示したがこれに限らない。液面調整手段としては、ドリップチャンバ本体に貯留される液体の液面高さを上下させることができる構成であればどのようなものでよく、例えば、ドリップチャンバの下流側ラインの流量を調整可能な流量調整弁や下流側ラインの流路を開閉可能なクランプ手段を用いてもよい。
【０１０１】
また、上述の実施形態では、血液ポンプの一例として間欠的に送液する例を示したが、これに限らない。液体を連続的に送液可能な血液ポンプを用いる場合は、動脈側上流ラインと動脈側下流ラインとは電気的に絶縁とはならないので、動脈側上流ラインも第１の連通ラインに含まれる。この場合は、第２の連通ラインを構成する静脈側下流ラインと動脈側上流ラインとを接続しない構成を用いて、本発明の液面調整機構を適用すればよい。
【符号の説明】
【０１０２】
１、１Ａ、１Ｂ、１Ｃ  血液浄化装置
１ａ  装置本体
１０  ドリップチャンバ（チャンバ）
１１  チャンバ本体
１２  導入口
１３  通気口
１４  導出口
２０  血液回路
２１  動脈側ライン
２１ａ  動脈側上流ライン
２１ｂ  動脈側下流ライン
２１ｃ  ポンプセグメント部
２２  静脈側ライン
２２ａ  静脈側上流ライン
２２ｂ  静脈側下流ライン
３０  ダイアライザ（血液浄化手段）
４０、４０Ｂ  透析液回路
５０  測定手段
５１  第１の電極
５２  第２の電極
５４  測定部
６０  制御手段
１０１  第１の連通ライン
１０２  第２の連通ライン
１００  液面調整ポンプ（液面調整手段）
１２１  通気ライン
１２２  開閉弁
２００  血液ポンプ
【図１】
2019170856.tif 000003
【図２】
2019170856.tif 000004
【図３】
2019170856.tif 000005
【図４Ａ】
2019170856.tif 000006
【図４Ｂ】
2019170856.tif 000007
【図５】
2019170856.tif 000008